(57)【要約】      複数のストリング（２）の光起電モジュール（３）から電力グリッド（４）に電気エネルギーを供給するための装置（１）において、それが、各接続端子（７）がそれぞれのストリング（２）を選択的に切断するための電源スイッチ（９）を含む過電流保護手段を備える、複数のストリング（２）の各ストリング（２）のための接続端子（７）と、全ての複数のストリング（２）の絶縁状態を与える中央絶縁監視ユニット（１５）と、を備え、絶縁不良を有するストリングを選んで選択的に切断し、かつ絶縁不良を有さない複数のストリング（２）の残りのストリング（２）から電気エネルギーをさらに供給するために、各過電流保護手段の電源スイッチ（９）が、中央絶縁監視ユニット（１５）によって与えられる絶縁状態に応答してモータ経由でコントローラ（１１−１３）によって開閉されることができる全極切断電源スイッチ（９）である。【選択図】  図１
2013501497.tif 000002
【特許請求の範囲】
【請求項１】
複数のストリング（２）の光起電モジュール（３）から電力グリッド（４）に電気エネルギーを供給するための装置（１）であって、前記装置が、
−各接続端子（７）が、前記それぞれのストリング（２）を選択的に切断するための電源スイッチ（９）を含む過電流保護手段を備える、前記複数のストリング（２）の各ストリング（２）のための接続端子（７）と、
−前記全ての複数のストリング（２）の絶縁状態を与える中央絶縁監視ユニット（１５）と、を備え、
絶縁不良を有するストリングを選んでかつ選択的に切断し、かつ絶縁不良を有さない前記複数のストリング（２）の残りのストリング（２）から電気エネルギーをさらに供給するために、各過電流保護手段の前記電源スイッチ（９）が、前記中央絶縁監視ユニット（１５）によって与えられる前記絶縁状態に応答してモータ（１０）経由でコントローラ（１１−１３）によって開閉されることができる全極切断電源スイッチ（９）である、ことを特徴とする装置。
【請求項２】
前記コントローラ（１１−１３）が、前記複数のストリング（２）の前記光起電モジュール（３）が動作する間、絶縁不良を有してかつ前記モータ（１０）経由で前記関連する電源スイッチ（９）を開く前記ストリング（２）を選ぶ、ことを特徴とする請求項１の装置（１）。
【請求項３】
前記絶縁監視ユニット（１５）が前記複数のストリング（２）の前記ストリング（２）のいずれかの絶縁不良を示す絶縁状態を与えるならば、前記コントローラ（１１−１３）が最初は全ての前記過電流保護手段の前記電源スイッチ（９）を開いてかつ次いで絶縁不良を実際に有する任意のストリングを選ぶために前記電源スイッチ（９）を選択的に再び閉じる、ことを特徴とする請求項１の装置（１）。
【請求項４】
前記コントローラ（１１−１３）が、前記電源スイッチ（９）を個々に再び閉じる、ことを特徴とする請求項３の装置（１）。
【請求項５】
前記コントローラ（１１−１３）が、前記電源スイッチ（９）をグループで再び閉じる、ことを特徴とする請求項３の装置（１）。
【請求項６】
各接続端子（７）の前記過電流保護手段が、前記電源スイッチ（９）およびパワーセンサ（１４）を備える、ことを特徴とする請求項１の装置（１）。
【請求項７】
監視装置が、前記対応するストリング（２）のサブストリング（５）の故障の表示のために前記パワーセンサ（１４）で測定される電流を監視する、ことを特徴とする請求項６の装置（１）。
【請求項８】
前記パワーセンサ（１４）が、方向感受型である、ことを特徴とする請求項６の装置（１）。
【請求項９】
前記パワーセンサ（１４）が逆電流を記録するときはいつでも、前記コントローラ（１１−１３）が前記モータ経由で前記関連する電源スイッチ（９）を開く、ことを特徴とする請求項８の装置（１）。
【請求項１０】
各電源スイッチ（９）が、前記ストリング（２）の開路電圧の少なくとも２００％に対して構成される、ことを特徴とする請求項１の装置（１）。
【請求項１１】
各接続端子（７）が、その電源電流を運ぶ前記関連するストリング（２）の接続ケーブル（６）のためのコネクタだけを備える、ことを特徴とする請求項１の装置（１）。
【請求項１２】
前記接続端子（７）の数が、最低５個である、ことを特徴とする請求項１の装置（１）。
【請求項１３】
前記接続端子（７）の数が、最低１０個である、ことを特徴とする請求項１の装置（１）。
【請求項１４】
前記接続端子（７）の数が、最低２０個である、ことを特徴とする請求項１の装置（１）。
【請求項１５】
前記接続端子（７）の数が、最低３０個である、ことを特徴とする請求項１の装置（１）。
【請求項１６】
各ストリング（２）が、最低１０本のサブストリング（５）を有する、ことを特徴とする請求項１の装置（１）の利用。
【請求項１７】
各ストリング（２）が、最低２０本のサブストリング（５）を有する、ことを特徴とする請求項１６の利用。
【請求項１８】
各ストリング（２）が、最低４０本のサブストリング（５）を有する、ことを特徴とする請求項１６の利用。
【請求項１９】
各ストリング（２）が、最低５０本のサブストリング（５）を有する、ことを特徴とする請求項１６の利用。
【請求項２０】
ストリング（２）の全ての前記サブストリング（５）が、現場で相互接続され、各サブストリング（５）が過電流ヒューズ経由で固定される、ことを特徴とする請求項１６の利用。
【発明の詳細な説明】
【技術分野】
【０００１】
（関連出願の相互参照）
本出願は、同時継続の（特許文献１）に対する優先権を主張する。
【０００２】
本発明は、複数のストリングの光起電モジュールから電力グリッドに電気エネルギーを供給するための装置に関する。
【０００３】
この種の装置に接続される個々のストリングは、光起電モジュールの直列接続または「ストリング」を備えることができるだけでなく、またさらに、現場で、すなわち光起電モジュールの場所でまたはその近くで、並列接続に結合される複数のサブストリングを有する。
【０００４】
本発明が関連する装置の全ての部分がローカルに集中される、すなわち、それらの活性表面の拡大に起因して、かなり大きな領域にわたって分散される種々のストリングおよびサブストリングとは対照的に中心に集められる。
【０００５】
装置の全ての部分は、１つの中央エンクロージャ内に含有されることができる。しかし、それが必ずしもこの場合である必要があるというわけではない。あるいは、装置は個々のエンクロージャがそのために設けられる個々のモジュールから成ることができる。これらの個々のエンクロージャは、また、装置の１つの中央位置内に設けられて光起電モジュールとの現場での組立を意図されない。
【０００６】
本発明が関連する装置は、一般的に交流電力グリッドに電気エネルギーを供給するように設計され、したがって、インバータを含有する。このインバータは、その出力電圧が交流電力グリッドの格子電圧にマッチすることを確実にするためにほとんど任意の方法でステップアップコンバータ、ステップダウンコンバータ（直流／直流および／または交流／交流電圧変換器）およびトランスと組み合わせられることができる。
【０００７】
本発明は、ストリングの領域および装置に対するそれらの供給ラインにおけるエラー、特に絶縁不良から、個々のストリングおよび電気エネルギー供給装置を保護する要求に対処する。
【背景技術】
【０００８】
複数のストリングの光起電モジュールから電力グリッドに電気エネルギーを供給するように設計される譲受人の現在の製品に照らして、過電流状態に対する保護のための複数の接続可能なストリングの各々に対して温度ヒューズが含まれる。また、全てのストリングから流れる電流に対する中央直流負荷断路器が、含まれる。現場で設置されるローカル監視装置によって、個々のサブストリングが故障に対して監視される。信号伝送チャネル、通常信号伝送ラインが、これらのローカル装置と中央装置との間に設けられなければならない。種々のストリングの絶縁状態を記録するための中央メカニズムが絶縁不良を検出する場合には全装置および／または中央直流負荷断路器だけが開けられることができる。誤った極性を備えたストリングが既知の装置に接続されるならば、それは標準回路配置内にそれを横切って低下する二重開路電圧を切替えることができないので、対応する温度ヒューズが焼き切れる。
【０００９】
複数のストリングの光起電モジュールから電力グリッドに電気エネルギーを供給するための更なる装置が、（非特許文献１）によって部分的に記載されているＳｉｅｍｅｎｓ製品として既知である。より詳しくは、この製品は、それがスイッチを選択的にオンオフされることができるように、別々の負荷断路器および直流コンタクタを介してそれに接続される４本の１２５ｋＷのストリングを備えた５００ｋＷのインバータである。ＧＦＤＩが、絶縁状態を記録するための中央メカニズムとして設けられる。このサーキットブレーカは、例えばどこか光起電モジュールの近くで地絡が生じる時に作動する。応答して、既知の装置は大きな接地電流を防ぐために絶縁運転モードへ切替わる。次の夜に、光起電モジュールが位置するところで自動絶縁測定が実行される。エラーが識別されて特定のストリングに帰された後で、装置は次の日に地上運転モードへ戻り、および、地絡によって影響を受けたストリングに対する直流コンタクタは開いたままである。
【００１０】
（特許文献２）が、直流発電器システムおよびそのための一体的な制御装置を開示する。直流発電アレイシステムが、各々ＭセルのＮストリングとして配置される発電セルのアレイから構成される。このシステムは、Ｎストリングユニットおよび単一プロセスユニットを有する一体的な制御装置を組み込む。各ストリングユニットは、ストリングのうちの１本に連結してそのストリング中のストリング電流を測定する監視モジュールおよびアレイとの間でそのストリングを切替える切替モジュールから構成される。プロセスユニットは、ストリング電流を評価するプロセッサおよびシステムの遠隔監視および制御を与えるデータＩ／Ｏモジュールから構成される。システムはさらに、システムのローカル監視および制御を与えるインタフェースユニットを有する。プロセッサによって、切替モジュールが、自動、遠隔および／またはローカル制御の下でストリングをアレイに連結させるかまたはそれから切り離す。各切替モジュールは、アレイとの間で関連したストリングを電気的に切替えるように構成され、ストリングをアレイに電気的に連結させるかまたはそれから切り離す、すなわち合計バスからのストリングの接続および切断を遂行する、ことが可能なスイッチを備える。その最も簡単な形において、スイッチはストリングをアレイに接続してそれから切断するだけの役目をする単純単極単投スイッチまたはリレーであることができる。
【００１１】
（特許文献３）は、電力監視、地絡検出および通信インタフェースを備えた直流コンバイナボックスを開示する。コンバイナボックスは、太陽電池パネルまたは他のエネルギー源から直流を集めるのに用いられる。コンバイナボックスは、地絡検出、電流監視、電圧監視および電力監視のために必要な全ての手段を集積化する。これらの手段は、各太陽電池パネルのための別々のヒューズ、直流電流センサおよび制御単投スイッチを含む。
【先行技術文献】
【特許文献】
【００１２】
【特許文献１】欧州特許出願第０９１６７４１４．３号、名称「Ｖｏｒｒｉｃｈｔｕｎｇ  ｚｕｒ  Ｅｉｎｓｐｅｉｓｕｎｇ  ｅｌｅｋｔｒｉｓｃｈｅｒ  Ｅｎｅｒｇｉｅ  ｖｏｎ  ｅｉｎｅｒ  Ｖｉｅｌｚａｈｌ  ｖｏｎ  Ｓｔｒｉｎｇｓ  ｖｏｎ  Ｐｈｏｔｏｖｏｌｔａｉｋｍｏｄｕｌｅｎ  ｉｎ  ｅｉｎ  Ｓｔｒｏｍｎｅｔｚ」２００９年８月６日出願
【特許文献２】米国特許出願公開第２００７／０１０７７６７号
【特許文献３】米国特許出願公開第２００６／０２３７０５８号
【非特許文献】
【００１３】
【非特許文献１】Ｂｒｉｇｉｔｔｅ  Ｓｃｈｕｌｚ「ＰＶ−Ｅｒｄｕｎｇ，  Ｔｅｃｈｎｉｓｃｈｅ  Ｂｅｓｃｈｒｅｉｂｕｎｇ」、Ｓｉｅｍｅｎｓ−Ｄｏｃｕｍｅｎｔ  ＳＩＮＶＥＲＴ＿ｐｖ  ｆｉｅｌｄ  ｇｒｏｕｎｄｉｎｇ＿ｔｅｃｈｎｉｃａｌ＿２００９＿０２−０９．ｄｏｃ
【発明の概要】
【発明が解決しようとする課題】
【００１４】
それでも、電力グリッドに供給される電気エネルギーの収率最適化を可能にすると共に同時に、装置が用いられる時、光起電システムの全体的な組立に対する高い使用信頼度およびローコストを確実にする、複数のストリングの光起電モジュールから電力グリッドに電気エネルギーを供給するための装置に対する要求がある。
【課題を解決するための手段】
【００１５】
１つの態様において、本発明は複数のストリングの光起電モジュールから電力グリッドに電気エネルギーを供給するための装置であって、それが、各接続端子がそれぞれのストリングを選択的に切断するための電源スイッチを含む過電流保護手段を備える、複数のストリングの各ストリングのための接続端子と、全ての複数のストリングの絶縁状態を与える中央絶縁監視ユニットと、を備える、装置を提供する。ここで、各過電流保護手段の電源スイッチは、絶縁不良を有するストリングを選んで選択的に切断し、かつ絶縁不良を有さない複数のストリングの残りのストリングから電気エネルギーをさらに供給するために、中央絶縁監視ユニットによって与えられる絶縁状態に応答してモータ経由でコントローラによって開閉されることができる全極切断電源スイッチである。
【００１６】
更なる一態様において、本発明は、各々最低２０本のサブストリングを有するストリングを備えた、接続端子の数が最低３０個である本発明に従う装置の利用を提供する。
【００１７】
本発明の他の特徴および利点は、以下の図面および詳述の検討の際に当業者に明白になるであろう。全てのこの種の追加的な特徴および利点が、請求項によって規定される、本発明の有効範囲内で本願明細書に含まれることを意図される。
【図面の簡単な説明】
【００１８】
本発明は、以下の図面を参照してよりよく理解される。図面内の構成要素が、必ずしも一定の比率であるというわけではなく、重点がその代わりに本発明の原理を明らかに例示することに置かれる。図面において、同様な参照番号がいくつかの図の全体にわたって対応する部分を示す。
【００１９】
【図１】複数のストリングの光起電モジュールから電力グリッドに電気エネルギーを供給するための装置の模式的な単線接続図である。および、
【図２】図１の装置の１本のストリングに対する１個の接続端子をより詳細に例示する。
【発明を実施するための形態】
【００２０】
新規の装置において、各ストリングのための各接続端子内に設けられる過電流保護手段がモータによって開閉されることができる電源スイッチを含む。エラーの証拠がそのサブストリングのまたは装置に対するその供給ラインの１つの領域にあるならば、この電源スイッチはそのそれぞれのストリングを保護して選択的に接続されて切断されることができる。これらのエラーは種々のストリングの絶縁状態を記録するための中央メカニズムによって記録されるエラーであるかもしれないか、または、それらはなんらかの他の方法で検出されるエラーを伴うかもしれない。好ましくは、エラー検出のこの形がそれ自体で新規の装置内で生じるだけである。これは、何のエラーも現場で検出されず、そして装置に通信されないが、その代わりに、それらが装置に通信される必要がないように装置内に検出されることを意味する。基本的に限定された電流容量を有する低コスト電源スイッチから成る過電流保護手段が、各ストリングがこれらの電源スイッチのうちの１つによって実際に運ばれることができる電流だけを供給するように、電流を分割してしたがって、比較的大きな数のストリングにわたって電力を分配する必要があるかもしれない。これはまた、ストリングの数に基づくシステム場所からの供給ラインの数が比較的多数になるかもしれないことも意味する。この新規の装置が提供する利点によって、これらの欠点はしかしながらはるかに上回られる。エラーがストリングの領域内に生じるならば、その電源スイッチ経由でそのストリングを切断することは、より多数のストリングに起因する光起電システムの全体的な性能に関してほんの少しの影響しか持たない。それらが相対的に低い電流を運ぶことを意図されるだけであるので、個々のストリングから新規の装置への供給ラインは大きな断面積を必要とせず、したがって、設計するのに安価で設置するのが容易である。さらに、新規の装置を使用する時、通常電流供給接続ラインに並列に存在する通信回線はもはや必要でない。
【００２１】
より詳しくは、中央絶縁監視ユニットが与える全ての複数のストリングの絶縁状態に従い、新規の装置のコントローラはモータ経由で種々のストリングの接続端子内の電源スイッチを動作させる。
【００２２】
新規の装置では、電源スイッチが開く時、各電源スイッチは全ての極でその対応するストリングを切断する（すなわち、それは完全にそれらを絶縁する）。それが光起電システムの残りに影響を及ぼさないように、これはストリング内の絶縁不良を安全に除去するのに必要である。
【００２３】
本発明によれば、生じる任意の絶縁不良は絶縁エラーを引き起こしたストリングを選んで、そして次にモータ経由でその電源スイッチを開けることによってそのストリングを切断することを目的としてすぐに（すなわち光起電モジュールが動作している間に同じ日に）応答される。
【００２４】
上で述べられた目的に対して、絶縁不良が生じる時、コントローラは、最初は電源スイッチの全てを開くことができ、そして次に中央装置が個々のストリングのうちの１本にそのようなものとして検出することができるだけである絶縁不良を局所化するためにそれらを選択的に閉じることができる。電源スイッチは、個々にまたは様々なグループ内の既知のすばやい選択法に基づいて再び閉じられることができる。
【００２５】
中央絶縁監視ユニットがどのように（例えば、ＧＦＤＩ、軟接地装置または絶縁抵抗を測定することを通して地絡を監視するための装置として）設計されているかに依存して、それが新規な絶縁エラーを検出する位置に達するように、新規の装置のコントローラが全ての電源スイッチのモータ駆動閉じの前にこの中央絶縁監視ユニットを再設定することが必要かもしれない。関連した電源スイッチが閉じられてエラーに影響を受ける実際のストリングが更に局所化される必要がある時、それが再び起こるので、絶縁不良が一群のストリングに帰された時、同じことが中央絶縁監視ユニットにあてはまる。
【００２６】
各ストリングのための過電流保護手段が電源スイッチに加えてパワーセンサから成るならば、それは特に好ましい。これらのパワーセンサは、特にこれらの電流のグループ化からみて、たとえこのストリングが並列に接続される比較的大きな数のサブストリングを有するとしても、個々のストリングから装置に流れる電流を監視することによってストリングのうちの１本のサブストリング内の電源異常を検出するのに用いられることができる。この種の監視は、例えば、それぞれのストリングからの電流が他のストリングからの電流と比較してどのようにふるまうかに基づくことができる。多数のストリングが多数の基準値を与えて統計誤差の消去を非常に効果的にするので、この種の手順を実施するための前提条件は新規の装置において優れている。
【００２７】
さらに、新規の装置内の各パワーセンサが方向感受型ならば、逆電流が検出されることができて、それは、次に、ここへ接続されるストリングの領域内のエラーまたは新規の装置に対するその接続の逆極性を示す。逆極性エラーがその集積化された保護機能の結果として電源スイッチが開くほどに大きい電流をすばやく引き起こすことができるのに対して、より小さな逆電流を引き起こす他のエラーはパワーセンサによって検出されるだけである。
【００２８】
逆極性エラーに安全に適応させるために、新規の装置内の電源スイッチは、少なくともストリングの二重開路電圧のために設計されている。これは、実施するのが比較的容易で逆極性エラーと関連したバーンオフのいかなる危険性も除去する。
【００２９】
以前に提案されたように、電源電流を運ぶ接続ケーブルのためのコネクタだけが新規の装置内の各ストリングに設けられる（すなわちいくつかの通信ケーブルのための何の追加的なコネクタもない）ならば、それは好ましい。また、電源電流を運ぶ接続ケーブルと並列の何の無線信号伝送もない。
【００３０】
新規の装置の接続端子の数は、通常最低５個、好ましくは最低１０個、より好ましくは最低２０個および最も好ましくは最低３０個である。新規の装置はそれゆえに、互いに並列に装置に接続される相対的に大きな数の個々のストリングのために設計されている。
【００３１】
新規の装置は、個々のストリングが最低１０本のサブストリング、好ましくは最低２０本のサブストリング、より好ましくは、最低３０本のサブストリングおよび最も好ましくは最低５０本のサブストリングを有するそのストリングとともに使用するために、特に適切である。他の設計と比較すると、それらが現場で個々に監視されないとみなす時、これらは多数のサブストリングである。その代わりに、新規の装置の使用において、ストリングの全てのサブストリングが現場で単純に共に接続されたことが好まれる。各サブストリングは、しかしながら通常は個々の過電流保護装置、すなわち過電流ヒューズによって保護される。
【００３２】
次に本発明の１つの変形が示される図面をより詳細に参照して、図１はソーラーモジュール３の種々のストリング２から、この場合交流電力グリッドである電力グリッド４に電気エネルギーを供給するための装置１を例示する。実際の装置１は、図１内に破線で取り囲まれて単一エンクロージャ内に封入されることができる。いずれにせよ、破線で取り囲まれている装置１の構成要素は、中央位置に設けられて光起電モジュール３の場所にローカルに分配されない。各ストリング２の電流供給接続ケーブル６だけがシステム場所から装置１まで経路を定められるように、各ストリング２が光起電モジュール３の直列の接続だけでなく、さらにまた、現場で組み合わせられる複数のサブストリング５を含む（個々のサブストリング５は、ヒューズによって保護される）。装置１への接続端子７が、全てのストリング２からの電流が共有母線ケーブル８上で合わせられる前に、１本のストリング２だけが接続される各ストリング２に設けられる。モータ１０経由で開閉されることができる電源スイッチ９が、各接続端子７内に設けられる。関連した接続端子７に割り当てられる装置１のコントローラのモジュール１１によって、モータ１０が起動される。図１は、過電流が所定の閾値を上回るならば、電源スイッチ９を自動的に開く集積化されたメカニズムを、各電源スイッチ９が追加として有することを示さない。その上、方向感受型パワーセンサ１４が各接続端子７内に設けられる。このセンサが関連したストリング２に逆電流を記録するならば、コントロールユニットの対応するモジュール１１が、たとえ電源スイッチ９の内部過電流保護装置がまだ起動されなかったとしても、モータ１０経由で電源スイッチ９を開く。さらに、パワーセンサ１４が個々のサブストリング５内の不良に対してストリング２を監視するのに同時に用いられる。このために、ストリング２から流れてパワーセンサ１４で測定される電流の集合が観測されて分析される。これが、装置１内のコントローラの中央モジュール１２内に生じる。装置１はさらに、ストリング２を含む図１内に示される全体的な光起電システム１６の絶縁状態を記録するための中央絶縁監視ユニット１５を有する。この監視ユニット１５は、例えば、ＧＦＤＩ、「軟接地」装置または絶縁抵抗を測定することによって地絡を監視するための装置であることができる。絶縁不良が監視ユニット１５によって記録されるならば、それは装置１内のコントローラのモジュール１３に通知を送る。応答して、このモジュール１３は、絶縁不良が局所化されるまで、装置１内の中央インバータ１７を止めるかまたは少なくともその動作に影響を与えることができる。絶縁不良がストリング２のうちの１つの領域内に生じるならば、それはコントローラ１１−１３に全ての電源スイッチ９を初めに開かせることによって検出されることができる。この点で、ＧＦＤＩまたは軟接地装置の場合では再設定されなければならないかもしれない中央絶縁監視ユニット１５は、絶縁不良をもはや示さないはずである。さもなければ、不良はストリング２の領域においてではなく、異なる位置内にある。絶縁不良がもはや示されないならば、エラーは個々にまたはグループで電源スイッチ９を選択的に閉じることによって最後に単一ストリング２に帰されることができる。このストリング２は、対応する電源スイッチ９を開けることによって「グループアウトされる」かまたは切断されることができ、および、残りのストリング２は何の悪影響もなしでグリッド４に電気エネルギーを供給し続けることができる。エラーの影響を受けたストリング２のこの選択は、光起電システム１６が動作している間、すなわちストリング２からの電圧が装置１に加えられる間、コントローラ１１から１３によってなされる。装置１は、したがって、非常に短い期間内に通常動作へ戻ることができてグリッド４に電気エネルギーを供給することができる。ストリング２内の不良によって引き起こされる損失は、特に匹敵して大きな数のストリング２が、各々１個の電源スイッチ９経由で装置１に並列に接続されるならば、軽微なままのはずである。
【００３３】
図２は図１のように２ラインの図で装置１の接続端子７のレイアウトを含有し、それは、電源スイッチ９が全ての極でどのようにしてストリング２を切断するかについて明らかに示す（このストリングがここで図式的に表されるだけである点に注意する）。電源スイッチ９は、それが誤った極性で装置１に接続されるストリング２を切断することが可能であり、それによって、二重開路電圧が電源スイッチ９の接点経由で加えられるように、ストリング２の二重開路電圧のために設計されている。
【００３４】
多くの変形および変更が、本発明の趣旨および原理から実質的に逸脱することなく本発明の好ましい実施態様に対してなされることができる。全てのこの種の変更および変形は、以下の請求項によって規定されるように、本発明の有効範囲内で本願明細書に含まれることを意図される。
【符号の説明】
【００３５】
１  装置
２  ストリング
３  光起電モジュール
４  電力グリッド
５  サブストリング
６  電流供給接続ケーブル
７  接続端子
８  共有母線ケーブル
９  電源スイッチ
１０  モータ
１１  コントローラのモジュール
１２  中央モジュール
１３  コントローラのモジュール
１４  パワーセンサ
１５  中央絶縁監視ユニット
１６  光起電システム
１７  中央インバータ
【図１】
2013501497.tif 000003
【図２】
2013501497.tif 000004
【国際調査報告】
2013501497.tif 000005
2013501497.tif 000006
2013501497.tif 000007